(57)【要約】【課題】部品点数を低減しつつ記録媒体（ＨＤＤ）を確実に保持する収納機構を備える映像表示装置を提供すること。【解決手段】トレイ２０は、当該装置に内蔵される据付ＨＤＤ３１と当該装置に着脱可能なカセットＨＤＤ３２を一体的に収納し、メインシャーシ１０に取り付けられる。トレイ２０と一体化したフック形状のＨＤＤストッパー２１は、据付ＨＤＤ３１の端部を押えその収納位置を固定する。トレイと一体化したＨＤＤ保持具２２は、カセットＨＤＤ３２の端部側面を押えトレイから脱落することを防止する。さらにメインシャーシ１０から切り起こした規制板１１は、ＨＤＤストッパー２１の変形を抑制し、脱落防止板１２は、据付ＨＤＤ３１がトレイから脱落するのを防止する。【選択図】図４Ａ
2011181127.tif 000002
【特許請求の範囲】
【請求項１】
入力した映像信号を表示部に表示するとともに、該入力した映像信号を録画再生する録画再生部を有する映像表示装置において、
前記録画再生部として当該装置に内蔵される第１の記録媒体と当該装置に着脱可能な第２の記録媒体を一体的に収納するトレイと、
該トレイとともに前記映像信号の処理基板を取り付けるメインシャーシとを有し、
前記トレイの端部には該トレイと一体化したフック形状のストッパーを設け、該ストッパーにて前記第１の記録媒体の端部を押え、該第１の記録媒体の収納位置を固定することを特徴とする映像表示装置。
【請求項２】
請求項１に記載の映像表示装置において、
前記メインシャーシの一部を切り起こして規制板を設け、該規制板にて前記トレイに設けたストッパーの変形を抑制することを特徴とする映像表示装置。
【請求項３】
請求項１または２に記載の映像表示装置において、
前記メインシャーシの一部を切り起こして脱落防止板を設け、該脱落防止板にて前記トレイに収納されている前記第１の記録媒体が該トレイから脱落するのを防止することを特徴とする映像表示装置。
【請求項４】
請求項１ないし３のいずれか１項に記載の映像表示装置において、
前記トレイには該トレイと一体化した保持具を設け、該保持具にて前記第２の記録媒体の端部側面を押え、該第２の記録媒体が該トレイから脱落することを防止することを特徴とする映像表示装置。
【請求項５】
請求項４に記載の映像表示装置において、
前記トレイに設ける保持具は該トレイの底面を切り起こして一体的に形成したものであり、該切り起こしにより生じた開口部に対し、前記メインシャーシの一部を切り起こして異物進入防止板を設け、該異物進入防止板にて前記開口部を塞ぐことを特徴とする映像表示装置。
【請求項６】
請求項１または４に記載の映像表示装置において、
前記第１の記録媒体は据付ＨＤＤであり、前記第２の記録媒体はカセットＨＤＤであることを特徴とする映像表示装置。
【発明の詳細な説明】
【技術分野】
【０００１】
本発明は、記録媒体を内蔵して受信した放送番組などを録画可能な映像表示装置に関するものである。
【背景技術】
【０００２】
ＨＤＤ（Hard Disk Drive）などの大容量記録媒体を内蔵して、受信した放送番組などを録画可能な映像表示装置（テレビジョン装置）が広く知られている。この場合の記録媒体であるＨＤＤは、通常装置内部に固定して用いられる据付型であるが、さらに可搬性のカセットＨＤＤを装置に着脱して使用することのできる映像表示装置も実用化されている。カセットＨＤＤは、ｉＶＤＲ（Information Versatile Disk for Removable usageの略で、ｉＶＤＲコンソーシアムの技術規格を意味する登録商標）とも呼ばれる。
【０００３】
特許文献１には、据付ＨＤＤとともにカセットＨＤＤを装着可能な放送受信装置において、操作性を向上し、利便性や使い勝手を図る録画ガイダンス機能について記載されている。例えば、カセットＨＤＤ（ｉＶＤＲ）に対して予約された録画を実行する際、当該カセットＨＤＤが装着されていない場合には、据付型ＨＤＤに予約番組の録画を行なうものである。
【先行技術文献】
【特許文献】
【０００４】
【特許文献１】特開２００８−１５３９５９号公報
【発明の概要】
【発明が解決しようとする課題】
【０００５】
一台の映像表示装置に据付ＨＤＤとカセットＨＤＤの２個の記録媒体を装着するとなると、ＨＤＤを収納し所定の位置に保持させるための収納機構が複雑になる。また、そのために単純に言っても取付用部品点数が２倍に増加し、部品コストの増大をもたらす。一方、収納機構においてＨＤＤの固定方法が不十分であると、ＨＤＤが収納部から脱落し易くなるなどの信頼性の問題が生じる。上記特許文献１を始め従来技術では、２個の記録媒体（ＨＤＤ）を合理的にかつ確実に保持するための収納機構については特に配慮されていなかった。
【０００６】
本発明は、上記課題に鑑みて為されたものであって、部品点数を低減しつつ記録媒体を確実に保持する収納機構を備える映像表示装置を提供するものである。
【課題を解決するための手段】
【０００７】
本発明は、入力した映像信号を表示部に表示するとともに、入力した映像信号を録画再生する録画再生部を有する映像表示装置において、録画再生部として当該装置に内蔵される第１の記録媒体と当該装置に着脱可能な第２の記録媒体を一体的に収納するトレイと、トレイとともに映像信号の処理基板を取り付けるメインシャーシとを有し、トレイの端部にはトレイと一体化したフック形状のストッパーを設け、ストッパーにて第１の記録媒体の端部を押え、第１の記録媒体の収納位置を固定する構成とする。
【０００８】
また、メインシャーシの一部を切り起こして規制板を設け、規制板にてトレイに設けたストッパーの変形を抑制する。また、メインシャーシの一部を切り起こして脱落防止板を設け、脱落防止板にてトレイに収納されている第１の記録媒体がトレイから脱落するのを防止する。また、トレイにはトレイと一体化した保持具を設け、保持具にて第２の記録媒体の端部側面を押え、第２の記録媒体がトレイから脱落することを防止する。
【発明の効果】
【０００９】
本発明によれば、部品点数を低減しつつ記録媒体を確実に保持する収納機構を備える映像表示装置を提供できる。
【図面の簡単な説明】
【００１０】
【図１Ａ】本発明の映像表示装置の一実施例を示す外観図（前面側）。
【図１Ｂ】本発明の映像表示装置の一実施例を示す外観図（背面側）。
【図２】図１Ｂの映像表示装置の背面カバー２を除去した内部構成図。
【図３】本実施例の映像表示装置の信号系ブロック図。
【図４Ａ】録画再生部８周辺の概観図で据付ＨＤＤ３１のみを装着した状態。
【図４Ｂ】録画再生部８周辺の概観図で据付ＨＤＤ３１とカセットＨＤＤ３２の両方を装着した状態。
【図５Ａ】録画再生部８の分解図でトレイ２０に中継基板９を装着した状態。
【図５Ｂ】録画再生部８の分解図で、図５Ａのトレイ２０に据付ＨＤＤ３１とカセットＨＤＤ３２を装着した状態。
【図５Ｃ】録画再生部８の分解図でメインシャーシ１０の形状を示す。
【図６Ａ】据付ＨＤＤ３１とカセットＨＤＤ３２の脱落防止を説明する図で、録画再生部８の平面図。
【図６Ｂ】据付ＨＤＤ３１とカセットＨＤＤ３２の脱落防止を説明する図で、図６ＡにおけるＸ−Ｘ断面図。
【図７Ａ】トレイ２０への異物進入防止を説明する図で、トレイ２０のうちカセットＨＤＤ３２の先端が装着される部分の斜視図。
【図７Ｂ】トレイ２０への異物進入防止を説明する図で、図７Ａのトレイ２０をメインシャーシ１０に取り付けた状態の斜視図。
【図７Ｃ】トレイ２０への異物進入防止を説明する図で、図７ＢにおけるＹ−Ｙ断面図。
【発明を実施するための形態】
【００１１】
以下、本発明の実施形態について図面を用いて説明する。
図１Ａと図１Ｂは、本発明の映像表示装置の一実施例を示す外観図で、図１Ａは前面側、図１Ｂは背面側から見た図である。映像を表示する表示部１には例えば液晶表示パネルを用いており、背面カバー２のうち装置側面には録画用のカセットＨＤＤ（ｉＶＤＲ）３２を着脱するために挿入口３を設けている。このようにして、本実施例の映像表示装置は、内蔵する据付ＨＤＤとともに着脱したカセットＨＤＤを用いて、受信した放送番組を録画・再生する機能を有する。
【００１２】
図２は、図１Ｂの映像表示装置の背面カバー２を除去した内部構成図である。メインシャーシ１０は、例えばアルミや鉄などの金属で構成されており、装置の背面を支持し補強する構造となっている。メインシャーシ１０には、映像信号を処理するメイン基板６や電源基板７とともに録画再生部８を搭載し、録画再生部８には記録媒体として据付ＨＤＤ３１とカセットＨＤＤ３２とが装着される。その際据付ＨＤＤ３１とカセットＨＤＤ３２は、１つの収納機構（以下、トレイ２０と呼ぶ）に収納してメインシャーシ１０に取り付ける。装着された据付ＨＤＤ３１とカセットＨＤＤ３２は、中継基板９を介して信号回路を含むメイン基板６に接続される。
【００１３】
図３は、本実施例の映像表示装置の信号系ブロック図である。
入力端子１００にはアンテナからの放送電波が供給され、チューナ部１０１ではユーザが望む放送チャネルを選択する。チャネルの選択では、例えばユーザが行なったリモコン操作指令をリモコン受信部１０９で受信し、チューナ部１０１を制御する。復調部１０２では、伝送のために施された変調方式に応じて復調し、また伝送中に発生した誤りを訂正する。デスクランブル部１０３では、放送局で施された暗号を復号し、デマルチプレクサ１０４では、時分割多重されている複数の番組からユーザが望む映像・音声コンテンツを分離する。ＭＰＥＧデコーダ１０５では、映像・音声コンテンツに対し施されているＭＰＥＧ方式による圧縮・符号化を伸張・復号化する。復号化された映像・音声信号は表示部１０６やスピーカに送られ、ユーザはこれを視聴する。ＣＰＵ１１０はバス１０８を介して各部の動作を制御する。これらの信号処理回路は、メイン基板６や表示基板７に収納されている。
【００１４】
記録再生部８は、装置の内部に固定的に設けられた据付ＨＤＤ３１とユーザにより着脱可能なカセットＨＤＤ（ｉＶＤＲ）３２を装着している。据付ＨＤＤ３１はコネクタ１１４ａに接続され、カセットＨＤＤ３２はコネクタ１１４ｂに接続され、両者はバス１１３を介してＨＤＤ制御部１１１に接続される。録画先として据付ＨＤＤ３１とカセットＨＤＤ３２のいずれを使用するかは、ユーザがリモコンを操作することで選択する。さらには、各ＨＤＤの残容量に応じて、装置が自動的に録画先を選択することも可能である。
【００１５】
ユーザが特定の番組を録画予約し該当する番組の開始時刻となると、ＨＤＤ制御部１１１は録画再生部８に対して記録動作開始を指示する。この際デマルチプレクサ１０４は、受信した放送信号からユーザが録画予約した番組のコンテンツデータと該当番組の番組情報を分離して、ＨＤＤ制御部１１１に供給する。ＨＤＤ制御部１１１は、据付ＨＤＤ３１またはカセットＨＤＤ３２を制御して、所定のセクタごとにこれらのデータを記録する。
【００１６】
据付ＨＤＤ３１またはカセットＨＤＤ３２に記録された番組を再生する場合には、表示部１０６に録画済みの番組リストを表示させ、ユーザはこれを見てリモコンなどを使って再生する番組を選択する。ＨＤＤ制御部１１１は録画再生部８に対して選択された番組の再生動作開始を指示する。選択された番組は、据付ＨＤＤ３１またはカセットＨＤＤ３２から再生されて表示部１０６に出力され、いわゆるタイムシフトによる視聴が可能になる。
【００１７】
次に、本実施例の録画再生部８の構造上の特徴について説明する。
図４Ａと図４Ｂは、本実施例の録画再生部８周辺の概観図である。図４Ａは録画再生部８に据付ＨＤＤ３１のみを装着した状態、図４Ｂは据付ＨＤＤ３１とカセットＨＤＤ３２の両方を装着した状態である。据付ＨＤＤ３１とカセットＨＤＤ３２は１つのトレイ２０に搭載され、トレイ２０はメインシャーシ１０に取り付けられる。その際トレイ２０の中央には中継基板９を配し、コネクタを介してその両側に据付ＨＤＤ３１とカセットＨＤＤ３２とを対向させて装着する。従来の構造では、据付ＨＤＤ３１を保持するトレイと、カセットＨＤＤ３２を保持するトレイとが別個に設けられていたが、本実施例では両者のトレイを一体化している。また、中継基板９やバス１１３を形成するフレキシブル線材などについても個別に備える必要があったが、本実施例ではこれらを共用することで部品数を低減している。トレイ２０の材料として、例えばＰＣ（ポリカーボネート）、ＡＢＳ（アクリルニトル、ブタジエン、スチレンの共重合合成樹脂）またはＰＣとＡＢＳの合成樹脂、或いはＰＳ（ポリスチレン）等の樹脂材料を用いて、モールド成形することにより一体化した形状を実現する。
【００１８】
さらに本実施例では、トレイ２０に装着した据付ＨＤＤ３１とカセットＨＤＤ３２を固定または保持するためのネジや金具を廃止し、さらに部品点数を削減している。すなわち、据付ＨＤＤ３１をトレイ２０に固定するために従来用いていたネジを廃止し、また、装着したカセットＨＤＤ３２を保持するために用いていた板バネを廃止した。そのために、据付ＨＤＤ３１やカセットＨＤＤ３２がトレイ２０から脱落しないように、トレイ２０やメインシャーシ１０を新たな構造とした。以下、新たな構造の特徴（１）〜（５）について説明する。
【００１９】
（１）トレイ２０の端部にトレイ２０と一体化したフック形状のＨＤＤストッパー２１を設け、据付ＨＤＤ３１の収納位置を固定する構造とした。図では、トレイ２０の左上隅に設けたＨＤＤストッパー２１にて据付ＨＤＤ３１の左端部（左上角）を押え、据付ＨＤＤ３１が左方へ移動するのを阻止している。なお、据付ＨＤＤ３１の上面はトレイ部材で押えられ、右端部はコネクタにて中継基板９に固定されている。このＨＤＤストッパー２１は図示するようにＵ字状の折り返し形状とすることで、据付ＨＤＤ３１が左方に移動しようとするときの据付ＨＤＤ３１との係合を強くし、ストッパーの作用を強化させている。
【００２０】
（２）トレイ２０に設けたＨＤＤストッパー２１の変形を抑制するため、メインシャーシ１０の一部を切り起こして規制板１１を設けた。据付ＨＤＤ３１が中継基板９とのコネクタから抜けて本来の収納位置よりも左方へ移動すると、ＨＤＤストッパー２１全体が外側（図面上方向）へ変形する結果、据付ＨＤＤ３１との係合が弱まってしまう。そこで、ＨＤＤストッパー２１の変形を外側から抑える規制板１１を設けることで、ＨＤＤストッパー２１の変形を抑制し、据付ＨＤＤ３１に対して安定に位置決めできるようにした。
【００２１】
（３）過大な外力を受けても据付ＨＤＤ３１がトレイ２０から脱落しないように、メインシャーシ１０の一部を切り起こして脱落防止板１２を設けた。脱落防止板１２はトレイ２０の左端部に対応するメインシャーシ１０の位置に設けるが、据付ＨＤＤ３１の左端部からわずかに離して設けている。据付ＨＤＤ３１に過大な外力が印加された場合、上記したＨＤＤストッパー２１や規制板１１だけでは据付ＨＤＤ３１の紙面左側への移動を阻止することができない場合があり得る。そのような場合でも、据付ＨＤＤ３１の端部を脱落防止板１２に衝突させることで、据付ＨＤＤ３１がトレイ２０から脱落するのを確実に防止することができる。
【００２２】
（４）装着されたカセットＨＤＤ３２をトレイ２０に保持するために、トレイ２０と一体化したＨＤＤ保持具２２を設けた。ＨＤＤ保持具２２は、カセットＨＤＤ３２の先端両側面の段差部をカセットＨＤＤ３２の厚み方向から押えることで、カセットＨＤＤ３２がトレイ２０から浮き上がって脱落することを防止する。ここにＨＤＤ保持具２２は、トレイ２０底面の一部を従来の板バネ形状に切り起こすことで、トレイ２０と一体的に形成する。ＨＤＤ保持具２２の形状は、カセットＨＤＤ３２の形状とカセットを押える部位により、適宜変更すればよい。このように、ＨＤＤ保持具２２はトレイ２０の一部を切り起こして（或いは切り抜いて）形成するために、トレイ２０の底面の切り起こして箇所には穴（開口部２３）が生じる。
【００２３】
（５）トレイ２０の底面に生じた開口部２３から異物が進入することを防止するため、メインシャーシ１０の一部を切り起こして異物進入防止板１３を設けた。トレイ２０にカセットＨＤＤ３２が装着されない状態では、開口部２３を通して外部から異物がトレイ２０の裏側に進入し、装置故障を引き起こす恐れがある。異物の例としてはコインの場合が多く、よって開口部２３の大きさがコインの大きさ（約２ｃｍ）を超える場合には特にその対策が必要となる。そこで、メインシャーシ１０から形成した異物進入防止板１３をトレイ２０の開口部２３の位置に合わせて設けることで、開口部２３からの異物の進入を防止する。
【００２４】
以上のように本実施例では、トレイ２０に装着する据付ＨＤＤ３１とカセットＨＤＤ３２を固定または保持するためのネジや金具を廃止した。そして、廃止したネジや金具の代行部品として、トレイ２０やメインシャーシ１０から一体的に形成したＨＤＤストッパー２１、規制板１１、脱落防止板１２、ＨＤＤ保持具２２、異物進入防止板１３を用いている。これにより、据付ＨＤＤ３１とカセットＨＤＤ３２の保持機能を損なわずに、部品点数を大幅に削減することができる。
【００２５】
以下、上記の特徴部分について、図面を用いてさらに詳細に説明する。
図５Ａ〜図５Ｃは、録画再生部８の分解図であり、図５Ａはトレイ２０に中継基板９を装着した状態、図５Ｂは図５Ａのトレイ２０に据付ＨＤＤ３１とカセットＨＤＤ３２を装着した状態、図５Ｃはメインシャーシ１０の形状を示す。
【００２６】
トレイ２０の４隅には、トレイ２０と一体に形成した４個のシャフト２５とこれらに取り付けたダンパ２６を有している。ダンパ２６は振動防止用の弾性体でありその厚み方向の中央に溝を有している。さらに本実施例では、据付ＨＤＤ３１を固定するためのＨＤＤストッパー２１と、カセットＨＤＤ３２を保持するためのＨＤＤ保持具２２を一体形成している。開口部２３は、ＨＤＤ保持具２２を一体形成する際に生じた穴である。
【００２７】
トレイ２０には、据付ＨＤＤ３１とカセットＨＤＤ３２を中継基板９を挟んで両側に装着する。その際、据付ＨＤＤ３１はＨＤＤストッパー２１により端部を押えられ、カセットＨＤＤ３２はＨＤＤ保持具２２によりカセットＨＤＤ３２の厚み方向から端部を押えられて、所定の位置に固定される。
【００２８】
メインシャーシ１０には、トレイ２０を支持するために４個のホルダ１５をほぼ直角に切り起こして形成し、各ホルダ１５にはＵ字状の溝１６を形成している。Ｕ字溝１６にトレイ２０のダンパ２６を挿入することで、トレイ２０をメインシャーシ１０に固定する。ホルダ１５の個数とＵ字溝１６の形状はこれに限らず、ホルダ１５を６個に増やしたりＵ字溝１６の入口を狭くしてダンパ２６を抜けにくい構造とすることもできる。
【００２９】
さらに本実施例のメインシャーシ１０には、ＨＤＤストッパー２１の変形を抑制する規制板１１と、据付ＨＤＤ３１の脱落を防止する脱落防止板１２と、開口部２３から異物が進入するのを防止する異物進入防止板１３を一体に形成している。規制板１１はホルダの１つ１５ａに近接しているので、ホルダ１５ａを延長して形成しているが、別個に設けても良い。規制板１１はＨＤＤストッパー２１の外側からわずかに離れた位置に配置し、脱落防止板１２は据付ＨＤＤ３１の端部からわずかに離れた位置に、また異物進入防止板１３は開口部２３の位置に合わせて形成する。
【００３０】
図６Ａと図６Ｂは、据付ＨＤＤ３１とカセットＨＤＤ３２の脱落防止を説明する図であり、図６Ａは録画再生部８の平面図、図６Ｂは図６ＡにおけるＸ−Ｘ断面図である。なお図６Ｂの断面図では、理解を容易にするため背景部材を表示／非表示に分けて示す。
【００３１】
据付ＨＤＤ３１に対しては、ＨＤＤストッパー２１と、規制板１１と、脱落防止板１２によりトレイ２０からの脱落を防止する。ＨＤＤストッパー２１は据付ＨＤＤ３１の角部３１ａを押え、据付ＨＤＤ３１が図面左方向へ移動することを阻止する。規制板１１はＨＤＤストッパー２１の図面上方向への変形を抑えることで、据付ＨＤＤ３１を所定の位置に固定させる。脱落防止板１２は据付ＨＤＤ３１の端部３１ｂからわずかに離れた位置に設け、据付ＨＤＤ３１に過大な外力が印加されてもトレイ２０から脱落することを防止する。
【００３２】
カセットＨＤＤ３２に対しては、２個のＨＤＤ保持具２２によりカセットＨＤＤ３２の先端側面の段差部３２ａを押えることで、トレイ２０から脱落することを防止する。
【００３３】
図７Ａ〜図７Ｃは、トレイ２０への異物進入防止を説明する図であり、図７Ａはトレイ２０のうちカセットＨＤＤ３２の先端が装着される部分の斜視図、図７Ｂは図７Ａのトレイ２０をメインシャーシ１０に取り付けた状態の斜視図、図７Ｃは図７ＢにおけるＹ−Ｙ断面図である。なお図７Ｃの断面図では、理解を容易にするため背景部材を表示／非表示に分けて示す。
【００３４】
トレイ２０には、カセットＨＤＤ３２を保持するためのＨＤＤ保持具２２を一体に形成している。そのためトレイ２０の底面２０ｂには開口部２３が生じ、カセットＨＤＤ３２を装着しないとき、このままでは外部から異物が進入する恐れがある。そこで、メインシャーシ１０の一部を切り起こして異物進入防止板１３を形成し、開口部２３を塞ぐようにした。これにより、コインなどの異物が開口部２３から侵入することを防止する。異物進入防止板１３は開口部２３のほぼ中央に形成するが、カセットＨＤＤ３２を装着するときの障害にならないよう、その高さをトレイ２０の底面２０ｂに合わせる。また、異物進入防止板１３の先端１３ａを折り曲げ形状とすることで、開口部２３の面積をより小さくし異物進入防止効果を高めている。
【００３５】
以上の実施形態はあくまで一例であり、本発明はこれに限定されるものではない。前記したトレイ２０やメインシャーシ１０に関する新たな特徴（１）〜（５）は、単独でも、あるいは適宜組み合わせても有効である。また、録画再生部８に装着する記録媒体はＨＤＤに限るものではなく、例えば光ディスクドライブであっても良い。そしてこれらの記録媒体は、据付型と着脱型のいずれの方式であっても適用できる。さらに本発明は、映像を表示する映像表示装置だけでなく、映像表示部を持たない例えばＨＤＤレコーダー等の映像記録再生装置にも適用可能である。
【符号の説明】
【００３６】
１，１０６…表示部、
６…メイン基板、
８…録画再生部、
９…中継基板、
１０…メインシャーシ、
１１…規制板、
１２…脱落防止板、
１３…異物進入防止板、
１５…ホルダ、
２０…トレイ、
２１…ＨＤＤストッパー、
２２…ＨＤＤ保持具、
２３…開口部、
２５…シャフト、
２６…ダンパ、
３１…据付ＨＤＤ、
３２…カセットＨＤＤ（ｉＶＤＲ）、
１１１…ＨＤＤ制御部。
【図１Ａ】
2011181127.tif 000003
【図１Ｂ】
2011181127.tif 000004
【図２】
2011181127.tif 000005
【図３】
2011181127.tif 000006
【図４Ａ】
2011181127.tif 000007
【図４Ｂ】
2011181127.tif 000008
【図５Ａ】
2011181127.tif 000009
【図５Ｂ】
2011181127.tif 000010
【図５Ｃ】
2011181127.tif 000011
【図６Ａ】
2011181127.tif 000012
【図６Ｂ】
2011181127.tif 000013
【図７Ａ】
2011181127.tif 000014
【図７Ｂ】
2011181127.tif 000015
【図７Ｃ】
2011181127.tif 000016